(57)【要約】【課題】矢板壁の矢板を連結するための多様な応用を一種類の連結用プロファイルで実現するための、改良された連結用プロファイルを提供する。【解決手段】上記課題は、ほぼ直線の中央ストリップと、前記中央ストリップから延びる第１、第２及び第３のフック・ストリップとを有し、前記第１、第２および第３フック・ストリップは、それぞれ、湾曲部と、前記湾曲部から延び前記フック・ストリップの自由端を形成するほぼ直線の端部を有する、矢板の連結用プロファイルによって解決される。【選択図】図１
2015014186.tif 000002
【特許請求の範囲】
【請求項１】
矢板壁の矢板を連結する連結用プロファイルであって、
ほぼ直線の中央ストリップと、
該中央ストリップから延びる、第１、第２および第３フック・ストリップと、を有し、
該第１、第２および第３フック・ストリップは、それぞれ、湾曲部を有し、
該湾曲部から延びて前記フック・ストリップの自由端を形成するほぼ直線の端部を有すること、を特徴とする連結用プロファイル。
【請求項２】
前記第１フック・ストリップは、前記中央ストリップの長手方向の軸に対してほぼ垂直に前記中央ストリップから延びていることを特徴とする請求項１に記載の連結用プロファイル。
【請求項３】
前記第１フック・ストリップは、前記中央ストリップの長手方向の軸に対してほぼ垂直に延びるほぼ直線の中間移行部分を有することを特徴とする請求項２に記載の連結用プロファイル。
【請求項４】
前記フック・ストリップの各々は、前記中央ストリップと各フック・ストリップの間に直線状の中間移行部分なしに、前記中央ストリップに直接結合することを特徴とする請求項１に記載の連結用プロファイル。
【請求項５】
前記第１フック・ストリップは、前記第２フック・ストリップの湾曲部に対向する、該第１フック・ストリップの面に材料積層部を有することを特徴とする請求項２に記載の連結用プロファイル。
【請求項６】
前記第２および第３フック・ストリップは、前記中央ストリップから延びており、前記中央ストリップの長手方向の軸に沿って鏡像を作るときに、前記第２フック・ストリップが前記第３フック・ストリップの鏡像になることを特徴とする請求項１に記載の連結用プロファイル。
【請求項７】
前記中央ストリップの前記長手方向の軸と前記第２および第３フック・ストリップの前記端部の長手方向の軸との間に、６０°から８０°の範囲の角度が作られることを特徴とする請求項６に記載の連結用プロファイル。
【請求項８】
前記中央ストリップの前記長手方向の軸と前記第２および第３フック・ストリップの前記端部の長手方向の軸との間に、約７０°の角度が作られることを特徴とする請求項６に記載の連結用プロファイル。
【請求項９】
前記第２及び第３フック・ストリップは中央ストリップから延びており、前記中央ストリップの長手方向の軸に沿って鏡像を作り、さらに、中央ストリップの長手方向の軸に垂直な軸に沿って鏡像を作る場合に、第２フック・ストリップは第３フック・ストリップの鏡像になる、ことを特徴とする請求項１に記載の連結用プロファイル。
【請求項１０】
前記第３フック・ストリップが、前記中央ストリップの長手方向の軸に対してほぼ垂直に延びる、ほぼ直線の中間移行部分を有し、前記第３フック・ストリップの前記湾曲部が該移行部分から延びる、ことを特徴とする請求項１に記載の連結用プロファイル。
【請求項１１】
前記第１及び第３フック・ストリップは、前記中央ストリップの第１末端から延び、第２フック・ストリップは、前記中央ストリップの第２末端から延びる、ことを特徴とする請求項１０に記載の連結用プロファイル。
【請求項１２】
前記第１および／または第３フック・ストリップの前記自由端は前記移行部分の方を向き、および／または、前記第２フック・ストリップの自由端は、ほぼ、前記中央ストリップの方を向いている、ことを特徴とする請求項１０に記載の連結用プロファイル。
【請求項１３】
前記第３フック・ストリップの移行部分の長手方向の軸と、前記第３フック・ストリップ前記端部の長手方向の軸との間に、６０°から８０°の範囲の角度が作られることを特徴とする請求項１０に記載の連結用プロファイル。
【請求項１４】
前記第３フック・ストリップの移行部分の長手方向の軸と、前記第３フック・ストリップの前記端部の長手方向の軸との間に、約７０°の角度が作られることを特徴とする請求項１０に記載の連結用プロファイル。
【請求項１５】
前記第１、第２、および／または第３フック・ストリップの前記湾曲部は、半円形状を有していることを特徴とする請求項１に記載の連結用プロファイル。
【請求項１６】
前記第２および／または第３フック・ストリップの自由端は前記中央ストリップの方を向いていることを特徴とする請求項１５に記載の連結用プロファイル。
【請求項１７】
前記第１フック・ストリップの端部の長手方向の軸と前記中央ストリップの長手方向の軸の間に、５０°から７０°の範囲の角度が作られることを特徴とする請求項１に記載の連結用プロファイル。
【請求項１８】
前記第１フック・ストリップの端部の長手方向の軸と前記中央ストリップの長手方向の軸との間に、約６０°の角度が作られることを特徴とする請求項１に記載の連結用プロファイル。
【発明の詳細な説明】
【技術分野】
【０００１】
本出願は、米国特許法１１９条ｅ項に基づき、２０１３年７月５日に出願された米国仮特許出願ＵＳ６１／８４３０８３号に基づき優先権を主張する。米国仮特許出願ＵＳ６１／８４３０８３号は、その全体が、参照することにより本明細書に組み込まれる。
【０００２】
本発明は、矢板壁の矢板を連結するための連結用プロファイルに関する。
【背景技術】
【０００３】
矢板を連結するための連結用プロファイルは、一般に、従来技術、例えば、ドイツ実用新案、ＤＥ２９８２１６２４Ｕ１号から知ることができる。ドイツ実用新案、ＤＥ２９８２１６２４Ｕ１号には矢板用の多様な連結部品に関する記載がある。これらの連結部品には、種々の形状を有する１つ以上のフック・ストリップが含まれる。
【発明の概要】
【発明が解決しようとする課題】
【０００４】
本願は、矢板を連結するための改良された連結用プロファイルを提供することを目的とする。特に、矢板を連結するための多数の応用が単一の連結用プロファイルを用いて達成されるような、改良された連結用プロファイルを提供することが本願の目的である。
【課題を解決するための手段】
【０００５】
この目的は、独立請求項１に記載の発明によって達成される。
【０００６】
ドイツ実用新案、ＤＥ２９８２１６２４Ｕ１号記載のような２フック・ストリップを有する連結部品は、矢板連結の分野で現在用いられている応用の特定部分のみをカバーしている。矢板連結の分野における応用の他の部分は、３フック・ストリップを有する矢板によってカバーされている。本発明による解決策は、この問題に対処し、矢板連結の分野で必要なすべての応用をカバーする連結用プロファイルを提供する。同時に、本発明の連結用プロファイルは、ドイツ実用新案、ＤＥ２９８２１６２４Ｕ１号に記載されたすべての連結用プロファイルのすべての機能に対応する。
【０００７】
本発明による連結用プロファイルの特徴および好適な実施形態は、連結用プロファイルの断面図、すなわち連結用プロファイルの縦方向延長に平行な視野方向に見る場合として、以下に記載される。連結用プロファイルの縦方向延長は、連結用プロファイルが地面に打ち込まれたとき打ち込み方向に連結用プロファイルが延長したものと理解することができる。連結用プロファイルの断面は、連結用プロファイルの縦方向延長にわたってほぼ一定であることが望ましい。
【０００８】
本発明による連結用プロファイルは、ほぼ直線の中央ストリップを有する。「直線の中央ストリップ」という用語は、連結用プロファイルの縦方向延長に対して垂直な、中央ストリップの長手方向の軸に沿って直線になったストリップと解釈することができる。
【０００９】
本発明による連結用プロファイルは、さらに、第１、第２および第３フック・ストリップを有する。第１、第２および第３フック・ストリップは、それぞれ、前記中央ストリップから延びている。本出願において、フック・ストリップなどの部分が、中央ストリップなどのもう一つ別の部分から延びると記載されている場合、これは、該部分が他方の部分から直接または間接的に延びていると理解されたい。間接的に延びるとは、該部分が、該部分と他の部分の間に配置された少なくとも一つの中間部分を介して他の部分から延びることと理解されたい。換言すれば、「から伸びる」という表現は、明示されない限り、上述のような両方の意味を有する。
【００１０】
第１、第２、および第３フック・ストリップは、それぞれ、湾曲部とほぼ直線の端部を有する。しかしながら、各フック・ストリップは、上記のような二つの部分に限定されるものではない。前記湾曲部は円形部、望ましくは部分円の部分によって形成されることが好ましい。部分円の部分とは、円全体の四分の一のように、円全体の一部と理解することができる。前記端部は、前記湾曲部から直接延び、フック・ストリップの自由端を形成することが望ましい。フック部分のこのような形状は、以下の利点を提供する。すなわち、連結用プロファイルのフック・ストリップの一つと連結される矢板は、連結用プロファイルに対して相対的に、特に断面でみて、連結用プロファイルに対して相対的な角度で旋回できる。換言すれば、連結用プロファイルは、該連結用プロファイルによって連結された矢板に対して相対的に回転することができる。同時に、矢板のロック、例えば、ラルセン（ＬＡＲＳＳＥＮ）ロックは、連結用プロファイルの各フック・ストリップに固定して連結されている。
【００１１】
以下、本発明の好適な実施形態を説明する。なお、本発明による連結用プロファイルの以下の実施形態は互いに互換性があり、当技術分野で知られている連結用プロファイルとも互換性があることは、本発明の利点である。
【００１２】
本発明による連結用プロファイルの第１の好適な実施形態によれば、第１フック・ストリップは、前記中央ストリップから、前記中央ストリップの長手方向の軸に対してほぼ垂直に延びている。中央ストリップから延びる第１フック・ストリップは、前記の繰り返しになるが、前記中央ストリップから直接、または中間部分を介して間接的に延びると理解することができる。用語「垂直」は、第１フック・ストリップが、中央ストリップから始まり、中央ストリップの長手方向の軸と約９０度の角度を成す方向に延びると理解することができる。
【００１３】
第１の好適な実施形態の改良によれば、第１フック・ストリップは、前記中央ストリップの長手方向の軸に対してほぼ垂直に延びる中間移行部分を有する。中間移行部分は、ほぼ直線であることが好ましい。さらに、中間移行部分は、中央ストリップから直接延び、第１フック・ストリップの湾曲部は、該移行部分から直接延びることが望ましい。
【００１４】
本発明による連結用プロファイルの第２の好適な実施形態によれば、各々のフック・ストリップは、前記中央ストリップとそれぞれのフック・ストリップの間に直線状の中間移行部分なしに、前記中央ストリップに直接接合することが、好ましい。
【００１５】
連結用プロファイルの第１および第２の好適な実施形態のさらに好適な改良によれば、第１フック・ストリップは、第２フック・ストリップ湾曲部に対向する、第１フック・ストリップの面に材料積層部を有する。該材料積層部は、第１フック・ストリップの、第２フック・ストリップ湾曲部に対向する側に膨らみ（ｋｎｏｌｌ）を形成することが好ましい。該膨らみは、連結用プロファイルの第２フック・ストリップ、及び第２フック・ストリップと連結される矢板のロック部間の確実な連結を可能にする。同時に、該膨らみによって異なる構成で同じ連結用プロファイルを使用することが可能になる、すなわち、該連結用プロファイルは、異なる型のロックを有する矢板を第２フック・ストリップにおいて連結する場合に適している。
【００１６】
本発明による連結用プロファイルの第３の好適な実施形態では、前記第２および第３フック・ストリップは、前記中央ストリップから延びており、前記中央ストリップの長手方向の軸に沿って鏡像を作るときに、前記第２フック・ストリップが前記第３フック・ストリップの鏡像になることが好ましい。第２フック・ストリップと第３フック・ストリップは、中央ストリップから直接伸びている方が好ましい。さらに好適な形態では、第１フック・ストリップが中央ストリップの第１末端から直接または間接的に延びるのに対し、第２フック・ストリップ及び第３フック・ストリップは、中央ストリップの第２末端から直接延びる。
【００１７】
連結用プロファイルの第３の実施形態の改良では、前記中央ストリップの長手方向の軸と前記第２および第３フック・ストリップの前記端部の長手方向の軸との間に６０°から８０°の範囲の角度、好ましくは約７０°の角度が作られる。すなわち、中央ストリップの長手方向の軸は、第２及び第３フック・ストリップの端部の長手方向の軸に対して、６０°から８０°の範囲、好ましくは、約７０°の角度で傾いている。該端部の長手方向の軸は、連結用プロファイルの縦方向延長に対して垂直に延びる、それぞれの端部の長手の延長に沿う方向に向いた軸として理解されるべきである。
【００１８】
本発明による連結用プロファイルの第４の好適な実施形態によれば、第２及び第３フック・ストリップは前記中央ストリップから延び、中央ストリップの長手方向の軸に沿って鏡像を作り、さらに、前記中央ストリップの長手方向の軸に垂直な軸に沿って鏡像を作るときに、第２フック・ストリップは第３フック・ストリップの鏡像になる。第２及び第３フック・ストリップの間の関係は、別の言葉で次のように説明することができる。つまり、第２フック・ストリップは、２回の鏡像処理によって第３フック・ストリップに変換することができる。まず、第２フック・ストリップは、中央ストリップの長手方向の軸に沿って鏡像変換される必要があり、次に、中央ストリップの長手方向の軸に垂直な軸に沿って第２回目の鏡像処理が行われる。この関係は、第３フック・ストリップの湾曲部が第２フック・ストリップの湾曲部から直接延びるようにして実現され、これによりＳ字形状になることが望ましい。さらに、前記中央ストリップの第１末端が第２フック・ストリップの湾曲部から直接延び、第１フック・ストリップは、前記中央ストリップの第２末端から湾曲部が直接延びることが好ましい。上記後者の場合には、中央ストリップ及び第３フック・ストリップの湾曲部は、部分的に重なっている。
【００１９】
本発明による連結用プロファイルの第５の実施形態では、前記第３フック・ストリップが、前記中央ストリップの長手方向の軸に対してほぼ垂直に延びる、ほぼ直線の中間移行部分を有し、前記第３フック・ストリップの前記湾曲部が該移行部分から延びることが望ましい。第３フック・ストリップの前記湾曲部は、該移行部分から直接延びることが好ましく、更に、該移行部分が中央ストリップから直接延びていることが好ましい。
【００２０】
連結用プロファイルの第５の実施形態の好適な改良において、前記第１フック・ストリップ及び第３フック・ストリップは、前記中央ストリップの第１末端から延び、第２フック・ストリップは、中央ストリップの第２末端から延びている。第１フック・ストリップの移行部分及び第３フック・ストリップの移行部分は、中央ストリップの第１末端から直接延びることが好ましい。
【００２１】
連結用プロファイルの第５実施の形態の更なる改良によれば、前記第１および／または第３フック・ストリップの前記自由端は前記移行部分の方を向き、および／または前記第２フック・ストリップの自由端は、ほぼ、前記中央ストリップの方を向いている。それぞれの自由端のこのような配置によって、ラルセン・ロックのような矢板ロックと本発明による連結用プロファイルの各フックの確実なインターロックが可能になると同時に、このような矢板のロックが、連結用プロファイルに対して、断面で見たときにある角度で旋回することが可能になる。
【００２２】
連結用プロファイルの第５の好適な実施形態のさらなる好適な改良においては、第３フック・ストリップの移行部分の長手方向の軸と第３フック・ストリップ端部の長手方向の軸との間に、６０°から８０°の範囲、好ましくは約７０°の角度が作られる。すなわち、第３フック・ストリップの移行部分の長手方向の軸は、第３フック・ストリップの端部の長手方向の軸に対して、６０°〜８０°の範囲、好ましくは約７０°の角度で傾いている。繰り返しになるが、これによって、前記連結用プロファイルの各フックと、本発明の連結用プロファイルによって連結される矢板のロックとの間の確実なインターロックが可能になる。
【００２３】
本発明による連結用プロファイルの第６の好適な実施形態では、前記第１、第２、および／または第３フック・ストリップの湾曲部は、半円形状を有している。これは、湾曲部が円の半分を形成する、すなわち、湾曲部延長部分の始点と終点との間の角度が約１８０°であるというように理解することができる。
【００２４】
連結用プロファイルの第６の実施形態の一つの改良においては、第２および／または第３フック・ストリップの自由端は前記中央ストリップの方を向いている。
【００２５】
本発明による連結用プロファイルの第７の好適な実施形態によれば、第１フック・ストリップの端部の長手方向の軸と前記中央ストリップの長手方向の軸の間に、５０°から７０°の範囲、好ましくは約６０°の角度が作られる。これによって、連結用プロファイルの第１フック・ストリップと連結用プロファイルによって連結される矢板のロックとの間の確実なインターロックが可能になり、同時に、矢板が、連結用プロファイルに対して断面で見たときにある角度で旋回することが可能になる。
【図面の簡単な説明】
【００２６】
本発明の好適な実施形態は、以下の図面と関連付けて記載されている。
【図１】本開示に係る連結用プロファイルの第１の実施形態を示す図である。
【図２】本開示に係る連結用プロファイルの第２の実施形態を示す図である。
【図３】本開示に係る連結用プロファイルの第３の実施形態を示す図である。
【図４】本開示に係る連結用プロファイルの第４の実施形態を示す図である。
【図５】本開示に係る連結用プロファイルの第５の実施形態を示す図である。
【図６】〜
【図１２】図２に示す連結用プロファイルの第２の実施形態を使用可能な、種々の構成を示す図である。
【発明を実施するための形態】
【００２７】
図１〜５は、連結用プロファイル１０１の種々の実施形態を断面図で示した図で、断面図の視線方向は、連結用プロファイルを地面に打ち込むときの打ち込み方向に対応する連結用プロファイルの縦方向延長１０２に平行である。図１〜５に示した実施形態の各々において、連結用プロファイル１０１は、直線状の中央ストリップ１０３を有し、該中央ストリップ１０３は該中央ストリップ１０３の長手方向の軸１０５に沿って延びる。該長手方向の軸１０５は、連結用プロファイル１０１の縦方向延長１０２に対して垂直方向を向いている。図１〜５に示す連結用プロファイル１０１の各々が、第１フック・ストリップ１０７、第２フック・ストリップ１０９及び第３フック・ストリップ１１１を有する。第１、第２及び第３フック・ストリップのそれぞれが各湾曲部１１３、１１５、及び１１７、並びに直線端部１１９、１２１及び１２３をそれぞれ有する。各端部１１９、１２１及び１２３は、それぞれの湾曲部１１３、１１５、及び１１７から延びて、フック・ストリップ１０７、１０９および１１１の自由端１２５、１２７および１２９をそれぞれ形成する。第２フック・ストリップ１０９の自由端１２７は、ほぼ、中央ストリップ１０３の方を向いている。第１フック・ストリップ１０７の端部１１９は長手方向の軸１３７を有する。該長手方向の軸１３７は、前記中央ストリップ１０３の長手方向の軸１０５と約６０°の角度を成している。
【００２８】
図１は前記連結用プロファイル１０１を示しており、第１フック・ストリップ１０７、第２フック・ストリップ１０９及び第３フック・ストリップ１１１が、各々のフック・ストリップが中央ストリップ１０３から直接、すなわち、前記中央ストリップとそれぞれのフック・ストリップ１０７、１０９および１１１の間に直線状の中間移行部分なしに結合するように中央ストリップ１０３から延びている。図１に示す第３フック・ストリップ１１１は、第２フック・ストリップ１０９から直接延びている。つまり、第３フック・ストリップ１１１の湾曲部１１７は、第２フック・ストリップ１０９の湾曲部１１５から直接延びている。第２及び第３フック・ストリップ１０９及び１１１の湾曲部は半円形状である。これにより、第３フック・ストリップ１１１と第２フック・ストリップ１０９は、Ｓ字形状を形成する。言い換えれば、中央ストリップ１０３の長手方向の軸１０５に沿って鏡像を作り、次に、中央ストリップ１０３の長手方向の軸１０５に対して垂直方向の軸１３１に沿って鏡像を作ると、第２フック・ストリップ１０９は、第３フック・ストリップ１１１の鏡像になる。
【００２９】
図１に示す連結用プロファイル１０１では、第１フック・ストリップ１０７は、中央ストリップ１０３の第１末端１３３から延び、第２フック・ストリップ１０９及び第３フック・ストリップ１１１は、中央ストリップ１０３の第２末端１３５から延びている。第１フック・ストリップ１０７の湾曲部１１３は円の半分より小さい。
【００３０】
前記端部１２１および１２３はそれぞれ、長手方向の軸１３９と１４１を有している。長手方向の軸１３９および１４１は、中央ストリップ１０３の長手方向の軸１０５とそれぞれ約６０°の角度を成す。
【００３１】
図２に示す連結用プロファイル１０１において、第２フック・ストリップ１０９及び第３フック・ストリップ１１１は、中央ストリップ１０３の第２末端１３５から直接延び、第１フック・ストリップ１０７は、中央ストリップ１０３の第１末端１３３から直接延びている。第１フック・ストリップ１０７は、中央ストリップ１０３の長手方向の軸１０５に対してほぼ垂直に中央ストリップ１０３から延びている。第１フック・ストリップ１０７は、第２フック・ストリップ１０９の湾曲部１１５に面する第１フック・ストリップ１０７の側面に形成された材料積層部１４３を有する。第２フック・ストリップ１０９は、中央ストリップ１０９の長手方向の軸１０５に沿って鏡に映した場合に、第３フック・ストリップ１１１の鏡像になる。中央ストリップ１０３の長手方向の軸１０５は、端部１２１と１２３それぞれの長手方向の軸１３９及び１４１それぞれに対して約７０°の角度で傾斜している。
【００３２】
図３に示す連結用プロファイル１０１は、図２に示す連結用プロファイルに似ている。図２に示す材料積層部１４３の代わりに。図３に示す第１フック・ストリップ１０７は、中央ストリップ１０３の長手方向軸１０５に垂直に延びる直線状の中間移行部分１４５を有する。
【００３３】
図２及び図３の両方の図において、第２フック・ストリップ１０９の自由端１２７及び第３フック・ストリップ１１１の自由端１２９は、ほぼ、中央ストリップ１０３の方を向いている。
【００３４】
図４は連結用プロファイル１０１を示し、第２フック・ストリップ１０９は、中央ストリップ１０３の第２末端１３５から延びている。端部１２１の長手方向の軸１３９は、中央ストリップ１０３の長手方向の軸１０５と約７０°の角度を成している。第１フック・ストリップ１０７及び第３フック・ストリップ１１１は、中央ストリップ１０３の第１末端１３３から延びている。第１フック・ストリップ１０７は、第２フック・ストリップ１０９の湾曲部１１５に面する側に材料積層部１４３を有する。第３フック・ストリップ１１１は、中央ストリップ１０３の第１末端１３３から、中央ストリップ１０３の長手方向軸１０５にほぼ垂直に延びる直線状の中間移行部分１４７を有する。第３フック・ストリップ１１１の湾曲部１１７は、中間移行部分１４７から直接延びる。終端部１２３の長手方向軸１４１は、移行部分１４７の長手方向軸１４９と約７０°の角度を成す。
【００３５】
図５に示す連結用プロファイル１０１は、図４に示す連結用プロファイルと似ている。但し、図５に示す連結用プロファイル１０１は、材料積層部１４３を有していない。代わりに、第１フック・ストリップ１０７は、中央ストリップ１０３の長手方向軸１０５に垂直に延びる直線の中間移行部分１４５を有する。
【００３６】
図４及び図５の両方の図において、第１フック・ストリップ１０７の自由端１２５及び第３フック・ストリップ１１１の自由端１２９が、第３フック・ストリップ１１１の移行部分１４７の方を向いている。
【００３７】
図６から図１２は、本発明による連結用プロファイル、特に、図２に示す連結用プロファイル１０１が使用され得る多様な構成を断面図で示す。すなわち、図６から図１２のそれぞれに、連結用プロファイル１０１によって連結された矢板が図示されている。図６から図１２の中で、同一および類似の部分は同一符号で示している。
【００３８】
各連結用プロファイル１０１は、第１の矢板２０１、第２の矢板２０３、第３の矢板２０５を、それぞれ、第１、第２および第３フック・ストリップ１０７、１０９及び１１１によって連結し、各矢板２０１、２０３および２０５のラルセン・ロック２０７、２０９及び２１１でインターロックされる。矢板２０１、２０３及び２０５は、それらが視野方向に垂直な角度で旋回できるように、各フック・ストリップ１０７、１０９および１１１に連結されている。旋回角度は、図６から図１２それぞれで、中立位置２１５の左方向への旋回（反時計回り）を表す左旋回方向矢印２１３と、中立位置２１５の右方向への旋回（時計回り）を表す右旋回方向矢印２１７で示される。左旋回方向矢印２１３と右旋回方向矢印２１７という用語は、これらの矢印が、中立位置２１５から左旋回方向または右旋回方向に配置されるというように理解されるべきで、これらの矢印がただ単に左方向または右方向を指すというように理解されてはならない。
【００３９】
図６〜９は、矢板のラルセン・ロックに連結される連結用プロファイル１０１の類似の構成を示す。これらの構成は、矢板の寸法や形状に関して、特に矢板の旋回範囲に関して異なっている。
【００４０】
図６の第１矢板２０１は、中立位置２１５から左方向に約３５°だけ旋回することができ、中立位置２１５から右方向に約２０°だけ旋回することができる。図６の第２矢板２０３は、中立位置２１５から左方向に約３４°だけ旋回でき、中立位置２１５から右方向に約２０．５６度旋回できる。図６に示す第３矢板２０５は中立位置２１５から左方向に約２０．５６°だけ旋回でき、中立位置２１５から右方向に約３４度だけ旋回できる。
【００４１】
図７に示す連結用プロファイル１０１の構成２１９は、図７に示す第１矢板２０１が、中立位置２１５から左方向に約３９°だけ旋回でき、中立位置２１５から右方向には約２２°旋回できるという点で、図６に示した構成と異なる。また、図６に示す構成と比べて、図７に示す第２矢板２０３は、中立位置２１５から右方向に約２２．５６°だけ旋回することができ、図７に示す第３矢板２０５は、中立位置２１５から左方向に約２２．５６°だけ旋回できる。これは、図７に示す矢板を、図６に示すそれぞれの矢板とは異なる形状に設計することによって実現される。
【００４２】
図８に示す連結用プロファイル１０１の構成２２１は、図８に示す第２の矢板２０３が中立位置２１５から左方向に約３８°だけ旋回でき、中立位置２１５から右方向に約２２．５６°だけ旋回できるという点で、図６に示す構成とは異なる。また、図８に示す第３矢板２０５は、中立位置２１５から左方向に約２２．５６°だけ旋回でき、中立位置２１５から右方向に約３８°だけ旋回できる。これは、図８に示す第２および第３の矢板２０３および２０５を、図６に示す第２及び第３の矢板２０３および２０５とは異なる形状に設計することよって実現される。
【００４３】
図９に示す連結用プロファイル１０１の構成２２３は、図９に示す第２矢板２０３が中立位置２１５から左方向に約３３°だけ旋回でき、中立位置２１５から右方向に約２２．５６°だけ旋回できるという点で、図６に示した構成と異なる。また、図９に示す第３矢板２０５は、中立位置２１５から左方向に約２２．５６°だけ旋回でき、中立位置２１５から右方向に約３３°旋回できる。これは、図９に示す第２及び第３の矢板２０３および２０５を、図６に示す第２および第３の矢板２０３および２０５とは異なる形状に設計することによって実現できる。
【００４４】
図１０〜１２は、矢板のラルセン・ロックに連結されている連結用プロファイル１０１の類似の構成を示す。これらの構成は、矢板の寸法と形状、特に矢板の旋回範囲及び各矢板の材料の配分が異なっている。
【００４５】
図１０に示す第１矢板２０１は、中立位置２１５から左方向に約３９．４７°だけ旋回でき、中立位置２１５から右方向に約２４．０２°だけ旋回できる。図１０に示す第２矢板２０３は、中立位置２１５から左方向に約３４．３４°だけ旋回でき、中立位置２１５から右方向に約２２．１１°だけ旋回できる。図１０に示す第３矢板２０５は、中立位置２１５から左方向に約２８°だけ旋回でき、中立位置２１５から右方向に約３４．７６度だけ旋回できる。
【００４６】
第３矢板２０５のラルセン・ロック２１１は、ヘッド部分２２５の領域ではラルセン・ロック２０７および２０９に似ている。第１矢板２０１及び第２矢板２０３とは対照的に、第３矢板２０５の矢板壁２２７は、ラルセン・ロック２１１のヘッド部分２２５の長手延長に配置されている。ラルセン・ロック２１１は、第１及び第２矢板２０１及び２０３の移行部分２３１の代わりに、材料積層部２２９を有する。
【００４７】
図１１に示す連結用プロファイル１０１の構成２３３は、図１１に示す第１矢板２０１が、中立位置２１５から左方向に約３２．３２°だけ旋回することができ、中立位置２１５から右方向に約２２．５６°だけ旋回することができるという点で、図１０に示した構成と異なる。図１１に示す第２矢板２０３は、左方向に約３２．１８°だけ旋回することができ、右方向に約２８．４５°だけ旋回することができる。また、図１１に示す第３矢板２０５は、中立位置２１５から左方向に約２７．６２°だけ旋回することができ、中立位置２１５から右方向に約３２．４９°だけ旋回することができる。これは、図１１に示す第１、第２および第３の矢板、２０１、２０３および２０５を、図１０に示す第１、第２および第３の矢板、２０１、２０３および２０５とは異なる形状に設計することよって実現できる。特に、図１１に示す第１矢板２０１と第２矢板２０３は、図１０に示した第１及び第２矢板の移行部分、矢板壁及び頭部それぞれに比べて、より厚い移行部分２３１、より厚い矢板壁２２７および、より厚い頭部２２５を有している。さらに、図１１に示す第３矢板２０５は、図１０に示した第３矢板の材料積層部、および頭部それぞれと比較して、より厚い材料積層部２２９、および、より厚い頭部２２５を有している。
【００４８】
図１２に示す連結用プロファイル１０１の構成２３５は、図１２に示す第１矢板２０１が、中立位置２１５から左方向に約３０．８６°だけ旋回することができ、中立位置２１５から右方向に約１９．２５°だけ旋回することができるという点で、図１１に示した構成とは異なる。図１２に示す第２矢板２０３は、左方向に約３１．９°、右方向に約２４．４５°だけ旋回することができる。さらに、図１２に示す第３矢板２０５は、中立位置２１５から左方向に約２４．４５°だけ、中立位置２１５から右方向に約３１．９°旋回することができる。これは、再度述べるが、図１２に示すそれぞれの矢板の矢板壁、頭部、及び、移行部分や材料積層部を、図１１に示す矢板のそれぞれの形状とは異なる形状に設計することによって達成される。
【符号の説明】
【００４９】
１０１  連結用プロファイル
１０２  連結用プロファイルの縦方向延長
１０３  中央ストリップ
１０５  中央ストリップの長手方向の軸
１０７  第１フック・ストリップ
１０９  第２フック・ストリップ
１１１  第３フック・ストリップ
１１３  第１フック・ストリップの湾曲部
１１５  第２フック・ストリップの湾曲部
１１７  第３フック・ストリップの湾曲部
１１９  第１フック・ストリップの端部
１２１  第２フック・ストリップの端部
１２３  第３フック・ストリップの端部
１２５  第１フック・ストリップの自由端
１２７  第２フック・ストリップの自由端
１２９  第３フック・ストリップの自由端
１３１  軸（中央ストリップ１０３の長手軸１０５に垂直な軸）
１３３  中央ストリップの第１末端
１３５  中央ストリップの第２末端
１３７  第１フック・ストリップ端部の長手方向の軸
１３９  第２フック・ストリップ端部の長手方向の軸
１４１  第３フック・ストリップ端部の長手方向の軸
１４３  材料積層部
１４５  中間移行部分
１４７  中間移行部分
１４９  移行部分の長手方向の軸
２０１  第１矢板
２０３  第２矢板
２０５  第３矢板
２０７  ラルセン・ロック
２０９  ラルセン・ロック
２１１  ラルセン・ロック
２１３  左旋回方向矢印
２１５  中立位置
２１７  右旋回方向矢印
２１９  図７の構成
２２１  図８の構成
２２３  図９の構成
２２５  頭部
２２７  矢板壁
２２９  材料積層部
２３１  移行部分
２３３  図１１の構成
２３５  図１２の構成
【図６】
2015014186.tif 000003
【図７】
2015014186.tif 000004
【図８】
2015014186.tif 000005
【図９】
2015014186.tif 000006
【図１０】
2015014186.tif 000007
【図１１】
2015014186.tif 000008
【図１２】
2015014186.tif 000009
【図１】
2015014186.tif 000010
【図２】
2015014186.tif 000011
【図３】
2015014186.tif 000012
【図４】
2015014186.tif 000013
【図５】
2015014186.tif 000014
【外国語明細書】
2015014186000001.pdf